(57)【要約】【課題】袋状型枠を他の袋状型枠と連結し得るように構成することによって、つなぎ目のない均一で頑強、そして遮水性に優れ、低コストの遮水工を構築できる袋状型枠及び袋状型枠を使用した遮水工の構築方法を提供する。【解決手段】本発明の袋状型枠１、２０、４１は、他の袋状型枠１、２０、４１と連結するための連結フラップ構造１８を備えている。また本発明の遮水工の構築方法は、初回の成形材料Ｍの打設に当たっては、当該袋状型枠におけるすべての連結フラップ構造を連結状態とし、次回以降の成形材料Ｍの打設に当たっては、当該袋状型枠において連結する一部の連結フラップ構造１８のみを展開状態にし、これと連結する他の袋状型枠における連結側の一部の連結フラップ構造１８と連結後、成形材料Ｍを打設するようにした。【選択図】図５
2006000750.tif 000002
【特許請求の範囲】
【請求項１】
当初は流動性があり、養生、固化後所望の遮水性を発揮する成形材料を使用して遮水工を構築する場合において使用される保形性を有する袋状型枠であって、
前記袋状型枠には他の袋状型枠と連結するための連結フラップ構造が設けられていることを特徴とする袋状型枠。
【請求項２】
請求項１において、前記成形材料は固化後の透水係数が１×１０−７ｃｍ／ｓ  以下のセメントアスファルトモルタルであることを特徴とする袋状型枠。
【請求項３】
請求項１または２において、前記袋状型枠は施工後、容易に分解し、消失する易分解性と、固化後の成形材料との剥離性とを有する材料によって形成されており、袋状型枠の対向する上面と下面間には、両者の間隙を規定する多数の補強紐が設けられていることを特徴とする袋状型枠。
【請求項４】
請求項１〜３のいずれか１項において、前記連結フラップ構造には連結手段として面ファスナが使用されていることを特徴とする袋状型枠。
【請求項５】
請求項１〜４のいずれか１項において、前記袋状型枠は１枚のシート状のブランク片によって構成されており、当該ブランク片は、上面と下面、上面と下面を連結する底面、そして上面及び下面の左右の側辺から外方に延びる４枚の側面フラップとを備えており、このうち側面フラップに対して連結フラップ構造が設けられていることを特徴とする袋状型枠。
【請求項６】
請求項１〜４のいずれか１項において、前記袋状型枠は２枚のシート状の上部ブランク片と下部ブランク片とによって構成されており、このうち上部ブランク片は、上面の上辺に外方に延びる天面フラップ、上面の下辺に外方に延びる底面フラップ、そして上面の左右の側辺から外方に延びる２枚の側面フラップと、左右の側面フラップの上辺及び下辺から外方に延びる４枚の重合フラップとを備えており、
一方、下部ブランク片は、上面の上辺に外方に延びる天面フラップ、下面の下辺に外方に延びる底面フラップ、そして下面の左右の側辺に外方に延びる２枚の側面フラップと、左右の側面フラップの上辺及び下辺から外方に延びる４枚の重合フラップとを備えており、これらのうち各ブランク片における天面フラップ、底面フラップ、側面フラップ及び重合フラップに対して連結フラップ構造が設けられていることを特徴とする袋状型枠。
【請求項７】
当初は流動性があり、養生、固化後所望の遮水性を発揮する成形材料を使用し、当該成形材料を保形性を有する袋状型枠に充填し、養生、固化させることによって遮水工を構築する袋状型枠を使用した遮水工の構築方法であって、
初回の成形材料の打設に当たっては、当該袋状型枠における全ての連結フラップ構造を連結状態とし、次回以降の成形材料の打設に当たっては、当該袋状型枠において連結する一部の連結フラップ構造のみを展開状態にし、これと連結する他の袋状型枠における連結側の一部の連結フラップ構造と連結後、成形材料を打設するようにしたことを特徴とする袋状型枠を使用した遮水工の構築方法。
【請求項８】
請求項７において、前記袋状型枠は、請求項１〜６のいずれか１項に記載の袋状型枠であることを特徴とする袋状型枠を使用した遮水工の構築方法。
【発明の詳細な説明】
【技術分野】
【０００１】
本発明は、急傾斜（１：０〜１：２．５の勾配）の法面等、転圧による施工が困難な場所や比較的平坦な面であっても、幅狭なＵ字溝のように転圧機械の搬入が不可能な場所等において、遮水工を構築する場合に好適な袋状型枠及び袋状型枠を使用した遮水工の構築方法に関する。
【背景技術】
【０００２】
最終処分場等では、遮水工を構築することが義務付けられており、遮水工としては厚さ１．５ｍｍ以上の遮水シートを被せるようにしたもの、粘性土を５０ｃｍ厚以上敷き詰めるようにしたもの、及びアスファルトコンクリートを厚さ５ｃｍ以上打設するようにしたものが規定されている。一般的には施工コストの安価な遮水シートを使用した遮水工の例が多いが廃棄物埋設時の破損等による漏水事故の問題があることから、信頼性の点では難がある。また上記信頼性の点では粘性土を使用した遮水工が望ましいが、施工コストが高い点で難がある。
【０００３】
そこで、上記漏水に対する信頼性と施工コストの両面を満足するものとしてアスファルトコンクリートを使用した遮水工が注目され、普及を見ている。この場合、アスファルトコンクリートによる遮水工を最終処分場の底盤部のように比較的平坦な面に適用する場合には、アスファルトコンクリートを充填後、転圧機械によって転圧をかけながら舗装することでアスファルトコンクリートによる遮水工を構築できる。しかし、急傾斜な法面や、平坦面であっても転圧機械を搬入できないような場所では、いずれも転圧機械は使用できないから、アスファルトコンクリートによる遮水工は不可能とされていた。
【０００４】
一方、アスファルトコンクリートによる遮水工を緩斜面に対して適用した試みも幾つか報告されており、下記特許文献１に示すように布製型枠を使用して遮水工を構築する工法も発案されている。特許文献１では、崩落した法面や崩落のおそれのある傾斜面の改修及び保護を目的とし、筒状のシート状部材である布製型枠を使用して、布製型枠の長さ方向に配設した混練物投入口から成形材料であるコンクリート、モルタル等を充填し、養生、固化させる工法が開示されている。
【０００５】
しかし、施工面積が大きくなれば、１枚の布製型枠では足らず、当然複数枚の布製型枠を使用してアスファルトコンクリートによる遮水工を別々に構築する必要がある。またこの時、隣接する遮水工間には間隙が形成されているから、この間隙を埋めるためのアスファルトコンクリートの充填作業が必要となる。
【０００６】
尚、これは従来の布製型枠が予め縫製加工により型枠形状になっていて、布製型枠を他の布製型枠と連結して使用するという発想自体が存在しなかったことに起因している。
【０００７】
【特許文献１】特開２００３−５５９７９号公報
【発明の開示】
【発明が解決しようとする課題】
【０００８】
本発明は、このような背景技術及び背景技術が抱える問題点の存在を踏まえてなされたものであって、袋状型枠を他の袋状型枠と連結し得るように構成することによって、つなぎ目のない均一で頑強、そして遮水性に優れ、低コストの遮水工を構築できる袋状型枠及び袋状型枠を使用した遮水工の構築方法を提供することを課題とするものである。
【課題を解決するための手段】
【０００９】
上記課題を解決するために本発明の第１の態様に係る袋状型枠は、当初は流動性があり、養生、固化後所望の遮水性を発揮する成形材料を使用して遮水工を構築する場合において使用される保形性を有する袋状型枠であって、前記袋状型枠には他の袋状型枠と連結するための連結フラップ構造が設けられていることを特徴とするものである。  
本発明の第１の態様によれば、連結フラップ構造が設けられているから、複数の袋状型枠を連結することが可能となり、広い面積の遮水工がつなぎ目なく、均一に構築でき、構造強度及び遮水性も向上する。
【００１０】
本発明の第２の態様に係る袋状型枠は、第１の態様において、前記成形材料は固化後の透水係数が１×１０−７ｃｍ／ｓ  以下のセメントアスファルトモルタルであることを特徴とするものである。  
本発明の第２の態様によれば、成形時の流動性が良好で、固化後において充分な遮水性が得られる。
【００１１】
本発明の第３の態様に係る袋状型枠は、第１または第２の態様において、前記袋状型枠は施工後、容易に分解し、消失する易分解性と、固化後の成形材料との剥離性とを有する材料によって形成されており、袋状型枠の対向する上面と下面間には、両者の間隙を規定する多数の補強紐が設けられていることを特徴とするものである。  
本発明の第３の態様によれば、袋状型枠は易分解性材料によって形成されているから、紫外線や雨、風、土壌中の微生物等の作用によって容易に分解し、環境を害することはない。また袋状型枠は固化後の成形材料との剥離性に優れる材料によって形成されているから、成形後他の袋状型枠と連結する作業が容易になる。また補強紐を設けることで、成形後のアスファルトコンクリートの肉厚が一様となり、袋状型枠の耐圧強度も向上する。  
尚、補強紐の素材としては、ポリエステル材、ポリプロピレン材、アスファルト含浸木綿等が挙げられる。
【００１２】
本発明の第４の態様に係る袋状型枠は、第１〜第３のいずれか１つの態様において、前記連結フラップ構造には連結手段として面ファスナが使用されていることを特徴とするものである。  
本発明の第４の態様によれば、連結、連結の解除が容易に行え、比較的安価で頑強、しかも構造が簡単な連結フラップ構造を有する袋状型枠が提供できる。
【００１３】
本発明の第５の態様に係る袋状型枠は、第１〜第４のいずれか１つの態様において、前記袋状型枠は１枚のシート状のブランク片によって構成されており、当該ブランク片は、上面と下面、上面と下面を連結する底面、そして上面及び下面の左右の側辺から外方に延びる４枚の側面フラップとを備えており、このうち側面フラップに対して連結フラップ構造が設けられていることを特徴とするものである。
【００１４】
尚、本明細書において使用する「ブランク片」とは、袋状型枠を成形する際に使用する枠要素のことであり、図２、図３、図７、図８等に示すように袋状型枠に立体成形される際の各面が平面的に一体に連結された展開状態の部材を意味する。  
本発明の第５の態様によれば、構造が簡単で連結、連結の解除が容易で、他の袋状型枠との連結も容易に行うことができる。
【００１５】
本発明の第６の態様に係る袋状型枠は、第１〜第４のいずれか１つの態様において、前記袋状型枠は２枚のシート状の上部ブランク片と下部ブランク片とによって構成されており、このうち上部ブランク片は、上面の上辺に外方に延びる天面フラップ、上面の下辺に外方に延びる底面フラップ、そして上面の左右の側辺から外方に延びる２枚の側面フラップと、左右の側面フラップの上辺及び下辺から外方に延びる４枚の重合フラップとを備えており、一方、下部ブランク片は、上面の上辺に外方に延びる天面フラップ、下面の下辺に外方に延びる底面フラップ、そして下面の左右の側辺に外方に延びる２枚の側面フラップと、左右の側面フラップの上辺及び下辺から外方に延びる４枚の重合フラップとを備えており、これらのうち各ブランク片における天面フラップ、底面フラップ、側面フラップ及び重合フラップに対して連結フラップ構造が設けられていることを特徴とするものである。本発明の第６の態様によれば、構造が頑強で、側面方向のみならず天面方向や底面方向にも他の袋状型枠を連結できる。
【００１６】
本発明の第７の態様に係る袋状型枠を使用した遮水工の構築方法は、当初は流動性があり、養生、固化後所望の遮水性を発揮する成形材料を使用し、当該成形材料を保形性を有する袋状型枠に充填し、養生、固化させることによって遮水工を構築する袋状型枠を使用した遮水工の構築方法であって、前記遮水工の構築方法は、初回の成形材料の打設に当たっては、当該袋状型枠における全ての連結フラップ構造を連結状態とし、次回以降の成形材料の打設に当たっては、当該袋状型枠において連結する一部の連結フラップ構造のみを展開状態にし、これと連結する他の袋状型枠における連結側の一部の連結フラップ構造と連結後、成形材料を打設するようにしたことを特徴とするものである。
【００１７】
本発明の第７の態様によれば、袋状型枠は単独でも、あるいは複数個連結しても使用できる。特に複数個連結した場合には、既に打設した成形材料とのつなぎ目が目立たなくなり、均一な成形面が得られる。また連結、連結解除するに当たっては、一部の連結フラップ構造のみを展開状態にすればよいから、連結、連結解除作業が容易になる。
【００１８】
本発明の第８の態様に係る袋状型枠を使用した遮水工の構築方法は、第７の態様において、前記袋状型枠は、第１〜第６のいずれか１つの態様の袋状型枠であることを特徴とするものである。本発明の第８の態様によれば、袋状型枠には連結フラップ構造が設けられているから、複数の袋状型枠を連結することが可能となり、広い面積の遮水工がつなぎ目なく、均一に構築でき、構造強度及び遮水性も向上し、構造も簡単になる。
【発明の効果】
【００１９】
本発明によれば、袋状型枠を他の袋状型枠に連結でき、連結した場合につなぎ目のない均一で頑強、そして遮水性に優れる遮水工が構築できる。また構築した遮水工は構造が簡単で低コストである。また連結フラップ構造の採用によって単一の袋状型枠、あるいは複数の袋状型枠間の連結、連結解除が容易に行えるようになる。
【発明を実施するための最良の形態】
【００２０】
以下、本願発明に係る袋状型枠及び袋状型枠を使用した遮水工の構築方法について説明する。尚、以下の説明では、勾配が１：１程度の比較的急傾斜の法面Ａに対してセメントアスファルトモルタル（以下ＣＡモルタルという）Ｍを成形材料として使用して遮水工１００を構築する場合を例にとって説明する。また構造の違う２種類の袋状型枠１と袋状型枠２０を例にとり、袋状型枠１の構成とこの袋状型枠１を使用した遮水工の構築方法を実施例１とし、袋状型枠２０の構成とこの袋状型枠２０を使用した遮水工の構築方法を実施例２として説明する。
【００２１】
図１は実施例１に係る袋状型枠の組み立て途中の状態を示す斜視図、図２は実施例１に係る袋状型枠の裏側を示す展開図、図３は同上、表側を示す展開図である。図４は実施例１に係る袋状型枠を単独で使用して初回に行う遮水工の構築の様子を背面側から視た状態を示す斜視図（ａ）と、補助フラップ周辺を拡大して示す斜視図（ｂ）、図５は実施例１に係る袋状型枠に他の袋状型枠を連結して行う次回以降の遮水工の構築の様子を背面側から視た状態を示す斜視図（ａ）と、補助フラップ周辺を拡大して示す斜視図（ｂ）である。また図６は、実施例２に係る袋状型枠の組み立て途中の状態を示す分解斜視図、図７は実施例２に係る袋状型枠の裏側を示す展開図、図８は同上、表側を示す展開図である。図９は実施例２に係る袋状型枠を単独で使用して初回に行う遮水工の構築の様子を背面側から視た状態を示す斜視図、図１０は実施例２に係る袋状型枠に他の袋状型枠を連結して行う次回以降の遮水工の構築の様子を背面側から視た状態を示す斜視図である。  
また図１１は実施例２に係る袋状型枠を縦横に複数枚連結して遮水工を拡大して行く様子を正面側から視た状態を示す斜視図である。
【００２２】
［実施例１］
実施例１に係る袋状型枠１は、１枚のシート状のブランク片２によって構成されている。ブランク片２は上面３と下面４、上面３と下面４の中間に位置し、両者を連接する底面５、そして上面３の左右の側辺６、７から外方に延びる２枚の側面フラップ８、９と、下面４の左右の側辺１０、１１から外方に延びる２枚の側面フラップ１２、１３とを備えている。
【００２３】
上面３と下面４は法面Ａに接する面あるいは法面Ａに平行な面であり、実質的に遮水工１００の形成される作用面を意味し、比較的面積の大きな矩形状をしている。一方底面５と４枚の側面フラップ８、９、１２、１３は、実質的に遮水工１００の厚さを規定する部分であり、比較的面積の小さな細長い矩形状をしている。そして上面３の左側の側面フラップ８の裏側（図２中紙面に垂直な方向、前方）と下面３の右側の側面フラップ１３の裏側には、連結手段としての面ファスナ１４のループ状係合部１５が一例として設けられており、上面３の右側の側面フラップ９の表側（図３中紙面に垂直な方向、前方）と、下面３の左側の側面フラップ１２の表側には、連結手段としての面ファスナ１４のフック状係合部１６が一例として設けられている。
【００２４】
そして面ファスナ１４のループ状係合部１５とフック状係合部１６が重なり合うようにブランク片２を折り曲げて組み立てることによって袋状型枠１の外観が形成され、更に対向する上面３と下面４間に両者の間隙を規定すると共に袋状型枠１の保形性を向上させる多数の補強紐１７を設けることによって実施例１に係る袋状型枠１が成形される。尚、この袋状型枠１は、施工後、容易に紫外線や雨、風、あるいは土壌中の微生物等の作用によって分解し消失する易分解性と、固化後の成形材料としてのＣＡモルタルＭとの剥離性とに優れる材料によって成形される。
【００２５】
そして、このような袋状型枠１を使用して遮水工１００を構築する場合には、初回のＣＡモルタルＭの打設に当たっては、図４（ａ）に示すように側面フラップ８の裏側のループ状係合部１５を側面フラップ１２の表側のフック状係合部１６に係合させ、側面フラップ９の表側のフック状係合部１６を側面フラップ１３の裏側のループ状係合部１５に係合させる。尚、このように連結部位となる側面フラップ８、９、１２、１３と、連結手段としての例えば面ファスナ１４との組み合わせを本実施例において連結フラップ構造１８と定義する。本実施例では、すべての側面フラップ８、９、１２、１３にそれぞれ面ファスナ１４のループ状係合部１５、あるいはフック状係合部１６のいずれかが設けられているから、連結フラップ構造１８は４つ設けられていることになる。そして、図４（ａ）に示す初回のＣＡモルタルＭの打設時には４つの連結フラップ構造１８のすべてが連結状態になっている。
【００２６】
また上述の構成のみでは、側面フラップ８、１２と底面５との間、側面フラップ９、１３と底面５との間に隙間が形成されてしまう。従ってそのままの状態でＣＡモルタルＭを充填するとＣＡモルタルＭの漏出のおそれがある。そこで図４（ｂ）に示すような面ファスナ１４が貼設された補助フラップ５０を用意し、この補助フラップ５０を９０°折り曲げた状態で貼設し、上記隙間を閉塞するようにする。尚、補助フラップ５０は図示のような帯状のものの他、ひも状のものであっても構わない。
【００２７】
次に成形材料としてのＣＡモルタルＭを袋状型枠１の上部開口１９から充填し、養生、固化させることによって初回の遮水工１００が構築される。尚、成形材料として使用されるＣＡモルタルＭは、アスファルト乳剤、セメント、砂、水の混合材であり、固化後の透水係数が１×１０−７ｃｍ／ｓ  以下になる特性を有している。そして遮水工１００を延長形成したい側の側面フラップ（図５では側面フラップ８、１２）を展開状態とし、当該袋状型枠１と連結する他の袋状型枠１の側面フラップ（図５では側面フラップ９、１３）とを面ファスナ１４によって連結する。また他の袋状型枠１の残りの２つの側面フラップ（図５では側面フラップ８、１２となる）は、その側面フラップ同士を面ファスナ１４によって連結する。
【００２８】
従って次回以降のＣＡモルタルＭの打設に当たっては、連結フラップ構造１８の一部は、他の袋状型枠１と連結するのに使用され、残りの連結フラップ構造１８は、当該袋状型枠１の側面を形成して袋状とするのに使用されている。またこのように袋状型枠１を連結する場合には、図５（ｂ）に示すように補助フラップ５０を隣接する袋状型枠１に跨るように展開状態に使用して連結し、隣接する袋状型枠１の底面５間に形成される隙間を閉塞するようにする。以下同様にして遮水工１００を所望の長さまで延長して行けば、遮水工１００の構築が完了する。そしてこのような構築方法によって構築された遮水工１００にはつなぎ目が生ぜず、均一な外観が保たれ、遮水性と構造強化とが図られているのである。
【００２９】
［実施例２］
実施例２に係る袋状型枠２０は、２枚のシート状の上部ブランク片２１と下部ブランク片２２とによって構成されている。このうち上部ブランク片２１は、上面２３の上辺２４に外方に延びる天面フラップ２５、上面２３の下辺２６に外方に延びる底面フラップ２７、そして上面２３の左右の側辺２８、２９に外方に延びる２枚の側面フラップ３０、３１と、左右の側面フラップ３０、３１の上辺３２及び下辺３３から外方に延びる４枚の重合フラップ３４、３５、３６、３７とを備えている。
【００３０】
一方、下部ブランク片２２は、下面３８の上辺２４に外方に延びる天面フラップ２５、下面３８の下辺２６の外方に延びる底面フラップ２７、そして下面３８の左右の側辺２８、２９に外方に延びる２枚の側面フラップ３０、３１と、左右の側面フラップ３０、３１の上辺３２及び下辺３３から外方に延びる４枚の重合フラップ３４、３５、３６、３７とを備えている。尚、下部ブランク片２２は基本的に上部ブランク片２１と同様の構成を有しているため、各部の名称、符号は上部ブランク片２１と同一の名称、符号を使用した。
【００３１】
上部ブランク片２１における上面２３と、下部ブランク片２２における下面３８は、法面Ａに接する面あるいは法面Ａに平行な面であり、実質的に遮水工１００の形成される作用面を意味し、比較的面積の大きな矩形状をしている。一方、上部ブランク片２１及び下部ブランク片２２におけるそれぞれの天面フラップ２５、底面フラップ２７及び側面フラップ３０、３１は、実質的に遮水工１００の厚さを規定する部分であり、比較的面積の小さな細長い矩形状をしている。また上部ブランク片２１と下部ブランク片２２の双方に設けられている重合フラップ３４、３５、３６、３７は、袋状型枠２０に組み立てた場合の隅部の隙間を埋める役割を有している。
【００３２】
そして、上部ブランク片２１における天面フラップ２５の裏側（図７中紙面に垂直な方向、前方）の左右両端、右上部の重合フラップ３５の裏側、右側の側面フラップ３１の裏側、右下部の重合フラップ３７の裏側及び底面フラップ２７の裏側には、連結手段としての面ファスナ１４のループ状係合部１５が一例として設けられている。また上部ブランク片２１における天面フラップ２５の表側（図８中紙面に垂直な方向、前方）、すべての重合フラップ３４、３５、３６、３７の表側及び左側（図８では右側に位置している）の側面フラップ３０の表側には連結手段としての面ファスナ１４のフック状係合部１６が一例として設けられている。
【００３３】
一方、下部ブランク片２２における天面フラップ２５の裏側（図７中紙面に垂直な方向、前方）、右上部の重合フラップ３５の裏側、右側の側面フラップ３１の裏側、右下部の重合フラップ３７の裏側及び底面フラップ２７の裏側の左右両端には、連結手段としての面ファスナ１４のループ状係合部１５が一例として設けられている。また下部ブランク片２２における底面フラップ２７の表側（図８中紙面に垂直な方向、前方）、すべての重合フラップ３４、３５、３６、３７の表側及び左側（図８では右側に位置している）の側面フラップ３０の表側には連結手段としての面ファスナ１４のフック状係合部１６が一例として設けられている。
【００３４】
そして、面ファスナ１４のループ状係合部１５とフック状係合部１６が重なり合うように上部ブランク片２１と下部ブランク片２２とを折り曲げて組み立てることによって袋状型枠２０の外観が形成され、更に対向する上面２３と下面３８間に両者の間隙を規定すると共に、袋状型枠２０の保形性を向上させる多数の補強紐１７を設けることによって実施例２に係る袋状型枠２０が成形される。尚、この袋状型枠２０は、実施例１に係る袋状型枠１と同様の易分解性と剥離性を備える材料によって形成されている。
【００３５】
（１）初回の遮水工の構築
そしてこのような袋状型枠２０を使用して遮水工１００を構築する場合には、初回のＣＡモルタルＭの打設に当たっては、図９に示すように上部ブランク片２１における側面フラップ３１の裏側のループ状係合部１５を下部ブランク片２２における側面フラップ３０の表側のフック状係合部１６に係合させ、上部ブランク片２１における側面フラップ３０の表側のフック状係合部１６を下部ブランク片２２における側面フラップ３０の裏側のループ状係合部１５に係合させる。
【００３６】
次に、上部ブランク片２１における重合フラップ３５、３７の裏側のループ状係合部１５を下部ブランク片２２における重合フラップ３４、３６の表側のフック状係合部１６に係合させる。同様にして上部ブランク片２１における重合フラップ３４、３６の表側のフック状係合部１６を下部ブランク片２２における重合フラップ３５、３７の裏側のループ状係合部１５に係合させる。
【００３７】
更に係合した重合フラップ３４、３５を内側に９０°折り曲げ、上部ブランク片２１における天面フラップ２５の裏面の左右両端に設けられているループ状係合部１５を上部ブランク片２１における重合フラップ３５の表側のフック状係合部１６及び下部ブランク片２２における重合フラップ３５の表側のフック状係合部１６に係合させる。同様にして重合フラップ３６、３７を内側に９０°折り曲げ、下部ブランク片２２における底面フラップ２７の裏側の左右両端に設けられているループ状係合部１５を上部ブランク片２１における重合フラップ３７の表側のフック状係合部１６及び下部ブランク片２２における重合フラップ３７の表側のフック状係合部１６に係合させる。
【００３８】
そして、上部ブランク片２１における天面フラップ２５を９０°内側に折り曲げ、更にその上に下部ブランク片２２における天面フラップ２５を９０°内側に折り曲げて重ね合わせることによって上部ブランク片２１における天面フラップ２５の表側のフック状係合部１６と下部ブランク片２２における天面フラップ２５の裏側のループ状係合部１５を係合させる。同様にして、下部ブランク片２２における底面フラップ２７を９０°内側に折り曲げ、更にその上に上部ブランク片２１における底面フラップ２７を９０°内側に折り曲げて重ね合わせることによって下部ブランク片２２における底面フラップ２７の表側のフック状係合部１６と上部ブランク片２１における底面フラップ２７の裏側のループ状係合部１５を係合させる。
【００３９】
尚、このように連結部位となる上部ブランク片２１と下部ブランク片２２のそれぞれにおける天面フラップ２５、底面フラップ２７、左右の側面フラップ３０、３１及び重合フラップ３４、３５、３６、３７と、連結手段としての例えば面ファスナ１４との組み合わせを本実施例において連結フラップ構造１８と定義する。本実施例では上部ブランク片２１と下部ブランク片２２の双方の天面フラップ２５、底面フラップ２７、側面フラップ３０、３１及び重合フラップ３４、３５、３６、３７のすべてにそれぞれ面ファスナ１４のループ状係合部１５、あるいはフック状係合部１６のいずれか１つまたは双方が設けられているから、連結フラップ構造１８は上部ブランク片２１と下部ブランク片２２を合わせて計１６個設けられていることになる。そして図９に示す初回のＣＡモルタルＭの打設時には１６個の連結フラップ構造１８のすべてが連結状態になっている。
【００４０】
次に、成形材料としてのＣＡモルタルＭを袋状型枠２０の天面フラップ２５に対して一例として設けられているポート３９から充填し、養生、固化させることによって初回の遮水工１００が構築される。尚、ＣＡモルタルＭとしては実施例１と同様の成分、透水係数のものが使用される。
【００４１】
（２）次回以降の遮水工の構築
そしてこのような袋状型枠２０を使用して遮水工１００を連結し、更に大きな遮水工１００を構築したい場合には、図１０に示すように袋状型枠２０を横方向に連結し、あるいは図１１に示すように袋状型枠２０を横方向に加えて縦方向にも連結し遮水工１００を徐々に継ぎ足して行く方式で拡大して行く。この場合には、既に構築した遮水工１００の形成に使用した袋状型枠２０の天面フラップ２５、底面フラップ２７、側面フラップ３０、３１あるいは重合フラップ３４、３５、３６、３７のうち、新たな遮水工１００を延長形成したい側のフラップ並びに当該フラップを展開することに伴って必要となってくるフラップを展開状態にする。
【００４２】
また当該袋状型枠２０と連結する他の袋状型枠２０の連結側のフラップ並びに当該フラップを連結することに伴って必要となってくるフラップを展開状態にし、面ファスナ１４を使用して上記展開状態にした既設の袋状型枠２０のフラップと連結する。尚、新たに連結する袋状型枠２０の残りのフラップは既に説明した初回の遮水工の構築の場合と同様、自らのフラップを重ね合わせることによって、上部ブランク片２１と下部ブランク片２２との間で連結し、閉塞状態にする。
【００４３】
そして更に遮水工１００を拡大して行きたい場合には、次々と新たな袋状型枠２０を図１０に示すように横方向に連結し、また図１１に示すように縦横に連結すればよく、所望の長さあるいは高さまで袋状型枠２０を連結し、順次ＣＡモルタルＭを打設し、養生、固化させて行けば、最終的に大型の遮水工１００が構築される。尚、このような構築方法によって構築された遮水工１００にはつなぎ目が生ぜず、均一な外観が保たれ、遮水性と構造強化とが図られているのである。
【００４４】
［他の実施例］
本願発明に係る袋状型枠及び袋状型枠を使用した遮水工の構築方法は、以上述べたような構成を基本とするものであるが、本願発明の要旨を逸脱しない範囲内の部分的構成の変更や省略等を行うことも勿論可能である。例えば、連結手段は、面ファスナ１４に限らず、ボタン、ホック、ファスナあるいはターンバックル状のもの等種々の構成のものが使用可能である。また、図１１に示すように連結フラップ構造１８を型枠本体４０と別体に構成した袋状型枠４１とすることも可能である。尚、上述の実施例１において述べた補助フラップ５０も別体に構成した連結フラップ構造１８の一種であり、本実施例でも補助フラップ５０として同一の符号を付けて図示している。
【００４５】
また、実施例２に係る袋状型枠２０において、上部ブランク片２１側の重合フラップ３４、３６と下部ブランク片２２側の重合フラップ３４、３６を省略することも可能であるし、実施例１に係る袋状型枠１において、上部開口１９を閉塞する天面フラップを設け、天面フラップに対してＣＡモルタルＭを充填するポートを設ける構成とすることも可能である。また、上記実施例１、２では法面Ａに対して遮水工１００を構築する場合を例にとって説明したが、本発明の袋状型枠１、２０、４１は、法面Ａに限らず、平坦面でも使用でき、特に転圧機械等が搬入できないようなＵ字溝のような溝部底面の遮水工１００の構築にも使用可能である。
【産業上の利用可能性】
【００４６】
本願発明は、法面等に遮水工を構築する施工現場、より具体的にはつなぎ目のない均一な遮水工を形成したい場合に利用可能である。
【図面の簡単な説明】
【００４７】
【図１】実施例１に係る袋状型枠の組み立て途中の状態を示す斜視図である。
【図２】実施例１に係る袋状型枠の裏側を示す展開図である。
【図３】実施例１に係る袋状型枠の表側を示す展開図である。
【図４】実施例１に係る袋状型枠を単独で使用して初回に行う遮水工の構築の様子を示す斜視図（ａ）と、補助フラップ周辺を拡大して示す斜視図（ｂ）である。
【図５】実施例１に係る袋状型枠に他の袋状型枠を連結して行う次回以降の遮水工の構築の様子を示す斜視図（ａ）と、補助フラップ周辺を拡大して示す斜視図（ｂ）である。
【図６】実施例２に係る袋状型枠の組み立て途中の状態を示す分解斜視図。
【図７】実施例２に係る袋状型枠の裏側を示す展開図である。
【図８】実施例２に係る袋状型枠の表側を示す展開図である。
【図９】実施例２に係る袋状型枠を単独で使用して初回に行う遮水工の構築の様子を示す斜視図である。
【図１０】実施例２に係る袋状型枠に他の袋状型枠を連結して行う次回以降の遮水工の構築の様子を示す斜視図である。
【図１１】実施例２に係る袋状型枠を縦横に複数枚連結して遮水工を拡大して行く様子を正面側から視た状態を示す斜視図である。
【図１２】他の実施例に係る袋状型枠の組み立て途中の状態を示す分解斜視図である。
【符号の説明】
【００４８】
１  袋状型枠、２  ブランク片、３  上面、４  下面、５  底面、６  側辺、７  側辺、８  側面フラップ、９  側面フラップ、１０  側辺、１１  側辺、１２  側面フラップ、１３  側面フラップ、１４  面ファスナ（連結手段）、１５  ループ状係合部、
１６  フック状係合部、１７  補強紐、１８  連結フラップ構造、１９  上部開口、
２０  袋状型枠、２１  上部ブランク片、２２  下部ブランク片、２３  上面、
２４  上辺、２５  天面フラップ、２６  下辺、２７  底面フラップ、２８  側辺、
２９  側辺、３０  側面フラップ、３１  側面フラップ、３２  上辺、３３  下辺、
３４  重合フラップ、３５  重合フラップ、３６  重合フラップ、３７  重合フラップ、３８  下面、３９  ポート、４０  型枠本体、４１  袋状型枠、５０  補助フラップ、
１００  遮水工、Ａ  法面、Ｍ  セメントアスファルト（ＣＡ）モルタル（成形材料）
【図１】
2006000750.tif 000003
【図２】
2006000750.tif 000004
【図３】
2006000750.tif 000005
【図４】
2006000750.tif 000006
【図５】
2006000750.tif 000007
【図６】
2006000750.tif 000008
【図７】
2006000750.tif 000009
【図８】
2006000750.tif 000010
【図９】
2006000750.tif 000011
【図１０】
2006000750.tif 000012
【図１１】
2006000750.tif 000013
【図１２】
2006000750.tif 000014